(57)【要約】【課題】モータで回転する駆動ローラにより、広告画面が印刷された広告フィルムが画面単位で間欠的あるいは動的に移動するとき、広告フィルムの傾きを防止しながら、広告表示窓から広告効果を演出できるように構成したスライド式広告装置を提供する。【解決手段】左右垂直レールの上下に紙管からなるローラを水平に装着し、センサーを内蔵して、停止位置及び停止時間などを制御することにより、広告フィルムを上下に移動させ、スライド式で画面を演出する。【選択図】　　　　図２
2004062132.tif 000002
【特許請求の範囲】
【請求項１】
ケース（１）と、前記ケース（１）の前面に設けられた広告表示窓（１００）と、前記広告表示窓（１００）の付近の両側面縁部に縦方向に位置され、光を発射するＣＣＦＬ（導光板）（２０）と、前記ＣＣＦＬ（導光板）（２０）に連結されたインバータ（２２）と、前記ケース（１）の左右側に設けられた左右側支持台上下端部（１−１、１−２）に備えられており、上下端ローラ（２、２’）を固定させる上下端ローラ固定溝（１０２、１０３）と、前記広告表示窓（１００）に画面を表示する広告フィルム（３）と、前記広告フィルム（３）を無限軌道で回転させる紙管からなる上下端ローラ（２、２’）と、前記下端ローラ（２’）の内部中央に挿入され、左右の傾きを防止できるように重量を持たせる重錘（２１）と、前記上端ローラ（２）の一側に付着された上端ローラキャップ及びシャフト（７）と、前記上端ローラキャップ及びシャフト（７）が挿入され、モータギア（５）と密着し、共に回転する上端ローラギア（６）と、前記上端ローラ（２）を回転させる駆動モータ（４）と、前記駆動モータ（４）の一側に設けられ、上端ローラギア（６）と密着したモータギア（５）と、前記モータギア（５）の中心軸の外側に設けられた分割ピン（９）と、前記ケース（１）の右側中央一側に設けられたタイマ（１０）と、前記タイマ（１０）の下部に設けられたセンサー（１１）と、前記センサー（１１）及びタイマ（１０）に信号を送受信してコントロールするコントローラボックス（１２）と、前記コントローラボックスの下部に設けられたトランス（１３）と、前記ケース（１）の下端一側に設けられ、本装置に電源を供給させるコード（２３）とから構成されることを特徴とするスライド式広告装置。
【請求項２】
前記上下端ローラ（２、２’）を紙管から形成され、上下端ローラ（２、２’）シャフトと固定されたブッシングを、ケース（１）の左右側の左右側支持台上下端部（１−１、１−２）に形成された上下端ローラ固定溝（１０２、１０３）に固定せずに、上部開放の上下ローラ固定溝（１０２、１０３）に適当な間隔で安置することを特徴とする請求項１記載のスライド式広告装置。
【請求項３】
前記下端ローラ（２’）は紙管から形成され、中央部に重錘（２１）が挿入されることを特徴とする請求項１記載のスライド式広告装置。
【請求項４】
前記広告フィルム（３）は上下端ローラ（２、２’）の外周縁に沿って無限軌道で回転し、照明透過率が良い織物からなるベースフィルムの上に画面フィルムをステッカー式で府着していることを特徴とする請求項１記載のスライド式広告装置。
【発明の詳細な説明】
【０００１】
【発明の属する技術分野】
本発明は内部照明付きのスリム型スライド式広告装置に係り、より詳しくは左右垂直レールの上下に紙管で製作したローラを水平に装着し、画面の左右の傾きを防止するためにローラ固定溝に安置し、画面フィルムを上下移動させ、スライド式画面を演出できるように制御する内部照明付きのスリム型スライド式広告装置に関する。
【０００２】
【従来の技術】
一般にスライド式広告装置は、ケース内部に照明灯が設置されており、広告フィルムを無限軌道で移動させるモータ及びギアと、前記広告フィルムを示す照明窓とから構成され、モータの駆動で広告フィルムの両側縁部に設けられた装置によってモータギアの回転速度により、前進、停止を繰り返し、見る人に広告効果を与えるようにした。
【０００３】
しかし、広告フィルムの移動による画面の振動現象及び傾き現象が発生するので、それを防止する立体的映像を演出するために、多様な研究が行われてきた。
【０００４】
例えば、機構ボックスの内部で、正・逆回転モータと、モータに形成されたギアとを回転フレームに遊動自在に支持し、前記遊星ギアの外側にプーリーからなる内ギアを噛み合わせ、そのプーリーにかけて回した果てに表示窓に出没する広告板を支持し、前記回転フレームのそれぞれに回転停止装置を設置するスライド式広告装置が記載された文献がある（例えば、特許文献１参照。）。
【０００５】
【特許文献１】
大韓民国公開実用新案公報公開番号２０−１９９１−００２０８３７号
【０００６】
また、広告板と、前記広告板を支持するローラを有する広告板支持棒と、前記支持棒の移動空間を支持する支持枠と、前記乗降手段と支持枠を囲んで少なくとも一側に、内部の広告板を見ることができる透明部を有するカーバとから構成されたスライド式広告装置が記載された文献がある（例えば、特許文献２参照。）。
【０００７】
【特許文献２】
大韓民国登録実用新案公報登録番号２０−０２４２３８８号
【０００８】
かかる従来の広告フィルムが移動するスライド式広告装置は、その構成が複雑であり、製造原価及び故障率が高い方であり、また、一定期間が経過すると、広告時に画面が左右に傾いて、見る人に製品に異常や不良など不都合があるという感じをさせるので、広告効果が低下するという問題点が発生し、これを改良するための研究が多く行われていた。
【０００９】
【発明が解決しようとする課題】
かかる従来の問題点を解決するために、本発明は本出願人が先出願した大韓民国登録特許公報登録番号第１０−３１９３４２号、登録実用新案公報登録番号第２０−０２４２３８８号発明の名称であるスライド式広告装置と、大韓民国公開実用新案公報公開番号実１９９１−４２０４号の垂直スライド式広告装置とを改良したもので、その目的はモータで回転する駆動ローラにより、広告画面が印刷された広告フィルムが画面単位で間欠的あるいは動的に移動するとき、広告フィルムの傾きを防止しながら、広告表示窓から広告効果を演出できるように構成したスライド式広告装置を提供することにある。
【００１０】
また、広告対象や広告方法及び広告物によって広告画面の移動速度や停止時間及び移動区間などを設定できるようにすることを目的とする。
【００１１】
また、広告フィルムのテンション（張力）を維持し、下端ローラの内部に挿入された重錘により、下端ローラ固定溝に安置されて移動する広告フィルムの振動や傾きを防止し、通常のセンサーにより広告フィルムの分離と設置を簡便にすることを目的とする。
【００１２】
【課題を解決するための手段】
上記目的を達成するために、本発明の内部照明付きのスリム型スライド式広告装置は、左右垂直レールの上下に紙管からなるローラを水平に装着し、センサーを内蔵して、停止位置及び停止時間などを制御することにより、広告フィルムを上下に移動させて、スライド式で画面を演出することを特徴とする。
【００１３】
本発明では、ＣＣＦＬ（導光板）を用いて薄い照明装置を内蔵して内部照明を可能とし、装置の厚さをスリム化し、垂直型（または据置型）、または壁掛け型に構成される広告装置の内部に、通常の照明手段と制御手段及び周辺照度と人体の感知手段を設置する。
【００１４】
本発明では、上端ローラ２のシャフトとブッシングは、左右側支持台上端部に形成された上端ローラ固定溝に固定せずに上部開放の状態に置かれており、左右公差があってある程度自由に動け、広告フィルムの一方向への傾きを防止し、上端ローラギアはレールに固定されたモータギアにローラそのものの重量で配置されて回転するので、ローラの回転時に無理にならないようにした。
【００１５】
下端ローラ２’は上端ローラ２と同一に紙管から形成されており、下端ローラシャフトとブッシングは左右側支持台下端部に形成された下端ローラ固定溝に固定せずに、広告フィルム下端部の内側に適当な重量で配置されており、左右公差があってある程度自由に動け、広告フィルムの一方向への傾きを防止し、上端ローラと広告フィルムにより水平を維持することができ、下端ローラ２’の内部には適当な重量（約２００ｇ）の重錘が挿入され、広告フィルムのテンション（張力）を維持することができるのみならず、上端ローラの回転時、滑りを防止する役割をする。
【００１６】
広告フィルムは、照明透過率が良い織物からなるベースフィルを装着し、ステッカー式広告フィルム（広告画面フィルム）を前記ベースフィルム上に付着したもので、広告フィルムを分解せずに容易に広告フィルムを交替することができる。
【００１７】
ベースフィルムに付いているセンサードッグとセンサーを用いてモータの駆動・停止を制御することができるので、多数の広告画面に分けて演出することができる。
【００１８】
本発明は、ケースの内部上端に駆動モータで駆動される紙管からなる上端ローラを備え、内部下端には紙管からなる下端ローラを備え、前記上端ローラと下端ローラとに連結された広告フィルムにより、上端ローラの回転によって広告フィルムと下端ローラが同時に回転し、下端ローラ内部に挿入された重錘により、連続的な画像または文字や断続的な図案が示されたエンドレス（ｅｎｄｌｅｓｓ）型広告フィルムの適正張力が維持されるから無限軌道で回転し、広告画面が移動及び停止することになり、広告表示窓に移動画面や停止画面または動的な画面を広告できるようにした。紙管からなる上下端ローラ２、２’は従来の合成樹脂または金属からなるローラより、広告画面の回転時により多くの接触抵抗を与え、広告画面の滑りを防止し、回転時の振動現象や傾きを防止する。
【００１９】
また、前記上下端ローラに沿って無限回転する広告フィルムは、駆動ローラを一方向に連続回転させるか、広告フィルム内容中、重要部分強調のために一定時間（大略３秒乃至１０秒）停止できるようにすることにより、視角的な広告効果を一層高めることができる。
【００２０】
また、広告装置の長さや広告フィルムの長さは広告画面の長さと構成及び使用目的などにより、その長さを自由に加減することができ、広告装置のケースは分離できる構造にして、広告画面の交替を簡便にし、維持及び補修を容易にした。
【００２１】
多数の広告画面が順次または非順次に羅列印刷される広告フィルムは、両側の先端部を重ね合せて接着するか、または先端部を突き合せた後、透明テープで接合するか、或いは連結片で接続してエンドレス（無限軌道）型広告フィルムを製作した。
【００２２】
上記の広告フィルムの広告画面停止と作動は、センサーによって一定時間回転し、一定時間停止できるようになっており、センサーの指示により、タイマに設定された時間だけ駆動モータが停止し、これにより上端ローラが停止することになり、上端ローラの外周面に沿って回転する広告画面を停止することになるので、広告フィルムを広告画面単位で間欠的に回転させて効果的な広告ができる。
【００２３】
広告フィルムの裏面または広告フィルムの間にＣＣＦＬ（導光板）を適当な間隔で設置し、十分な照明を達成することができ、広告装置のケース前面には透明な強化ガラスや透明な合成樹脂からなる広告表示窓を設置し、広告画面を全面に投射（照射）することができる。
【００２４】
広告装置のケース内の一側に冷却ファンを設置し、照明灯やモータから発生する熱を広告装置の外部に排出することができる。
【００２５】
【発明の実施の形態】
以下、本発明の好適な実施例を添付図に基づいて詳細に説明する。
図１は本発明の内部照明付きのスリム型スライド式広告装置の詳細図であり、図２は本発明の内部照明付きのスリム型スライド式広告装置の内部詳細図であり、図３は本発明の内部照明付きのスリム型スライド式広告装置の側面詳細図であり、図４は本発明の内部照明付きのスリム式スライド式広告装置の側面詳細図である。　図面には、ケース１、左右側支持台上端部１−１、左右側支持台下端部１−２、上下端ローラ２、２’、広告フィルム３、駆動モータ４、モータギア５、上端ローラギア６、上下端ローラキャップ及びシャフト７、７’、ボディプレートレール８、分割ピン９、タイマ１０、センサー１１、コントローラボックス１２、トランス１３、ＣＣＦＬ（導光板）２０、重錘２１、インバータ２２、コード２３、広告表示窓１００、上端ローラ固定溝１０２、下端ローラ固定溝１０３が示されている。
【００２６】
構造を察してみると、図１及び図２に示すように、ケース１と、ケース１の前面に設けられた広告表示窓１００と、前記広告表示窓１００の付近の両側面縁部に縦方向に位置され、光を発射するＣＣＦＬ（導光板）２０と、前記ＣＣＦＬ（導光板）２０に連結されたインバータ２２と、前記ケース１の左右側に設けられた左右側支持台上下端部１−１、１−２に備えられており、上下端ローラ２、２’を固定させる上下端ローラ固定溝１０２、１０３と、前記広告表示窓１００に画面を表示する広告フィルム３と、前記広告フィルム３を無限軌道で回転させる紙管からなる上下端ローラ２、２’と、前記下端ローラ２’の内部中央に挿入され、左右の傾きを防止できるように重量を持たせる重錘２１と、前記上端ローラ２の一側に付着された上端ローラキャップ及びシャフト７と、前記上端ローラキャップ及びシャフト７が挿入され、モータギア５と密着し、共に回転する上端ローラギア６と、前記上端ローラ２を回転させる駆動モータ４と、前記駆動モータ４の一側に設けられ、上端ローラギア６と密着したモータギア５と、前記モータギア５の中心軸の外側に設けられた分割ピン９と、前記ケース１の右側中央一側に設けられたタイマ１０と、前記タイマ１０の下部に設けられたセンサー１１と、前記センサー１１及びタイマ１０に信号を送受信してコントロールするコントローラボックス１２と、前記コントローラボックスの下部に設けられたトランス１３と、前記ケース１の下端一側に設けられ、本装置に電源を供給させるコード２３とから構成されたスライド式広告装置である。
【００２７】
前記で広告フィルムの一方向への傾きを防止するために、上下端ローラ２、２’を紙管から形成し、上下端ローラ２、２’シャフトと固定されたブッシングを、ケース１の左右側の左右側支持台上下端部１−１、１−２に形成された上下端ローラ固定溝１０２、１０３に固定せずに、上部開放の上下ローラ固定溝１０２、１０３に適当な間隔で安置し（即ち、左右公差がある）、ある程度自由に移動できるようにした。前記広告フィルム３は上下端ローラ２、２’の外周縁に沿ってエンドレス（無限軌道）で回転し、照明透過率が良い織物からなるベースフィルム上に画面フィルムをステッカー式で付着した。
【００２８】
組立状態を説明すると、ケース１は紙管からなる上下端ローラ２、２’と　照明手段及び駆動手段などを装着できるように適正の幅と厚さを有する直方体状とし、前記ケース１の左右側面には紙管からなる上下端ローラ２、２’を固定させるが、上下に余裕間隔（公差）を与え、上下端ローラ２、２’が駆動モータ４の回転による回転時に発生する振動を防止し、また、前記上下端ローラ２、２’の回転と共に回転する広告フィルムの振動や一方向への傾きを防止するために、ケース１の左右側の左右側支持台上下端部１−１、１−２に形成された、上部開放の上下部ローラ固定溝１０２、１０３に安置する（従来には溝に固定させたので、広告画面の一方向への傾きを防止できなかった）。また、紙管からなる下端ローラ２’の内部に重錘を挿入し、広告画面にテンション（張力）を与えて振動を防止し、一方向への傾きを防止した。
【００２９】
駆動モータ４の一側には、図２及び図３のように前記上端ローラ２が挿入されて回転できるようにする上端ローラキャップ及びシャフト７と、前記上端ローラキャップ及びシャフト７が挿入連結されて回転させる上端ローラギア６とが設けられている。前記分割ピン９は、モータ軸にギアを結合した後、ギアの外れを防止するためにモータ軸の孔に挿入する。
【００３０】
前記上端ローラ２の一側を上端ローラキャップ及びシャフト７によって固定した後、前記上端ローラキャップ及びシャフト７が挿入連結された上端ローラギア６に噛みあって共に回転する、駆動モータ４の一側に形成されたモーターギア５を密着設置し、前記ケース１の中央右側にタイマ１０を設け、前記タイマ１０の下部にセンサー１１を設置し、一定速度で広告画面を回転及び停止して広告表示窓に広告画面を演出させる。また、前記センサー１１の下部には前記センサー１１及びタイマ１０に信号を送受信して全装置をコントローラできるように、コントローラボックス１２を設置し、前記コントローラボックスの下部にはトランス１３を設置した。
【００３１】
前記でエンドレス（無限軌道）型広告フィルム３を交換しようとする場合、ケース１を分離し、内蔵された照明透過率の良い織物からなるベースフィルム上部にステッカー式広告画面フィルムを付着した広告フィルム３からステッカー式広告画面フィルムを除去し、消費者が望む広告フィルム３に容易に交替した後、ケース１を組み立てて交替する。必要に応じて装置の内部または外部に人体感知センサーを設置し、人の接近が感知されるとセンサーが駆動モータ４を駆動させて広告フィルム３を作動させ、広告装置２の内部または外部に照度感知機を設置し、本発明の装置周辺の明るさに応じて、照明装置が点灯または消灯になる。
【００３２】
本発明の広告フィルム３はエンドレス型なので、センサー１１の故障や感知不良のため駆動モータ４が回転し続けても広告フィルム３の切断や伸びが防止され、駆動モータ４と広告フィルム３及び広告画面が一側方向（または逆方向）に回転し続けるので、駆動モータ４と上端ローラ２の過負荷要因がない。
【００３３】
本発明では、広告画面の幅や長さによって広告フィルム３の移動速度が異なるが、２５ｃｍ／ｓ〜５０ｃｍ／ｓとするのが好ましい。前記広告フィルム３の移動速度が速すぎると、駆動モータ４や上端ローラ２の早い摩耗や損傷による寿命の短縮をもたらし、逆に広告フィルム３の移動速度が遅すぎると、広告効果が低下する。
【００３４】
本発明では、広告フィルム１８の裏面に適当な間隔で肉薄の複数のＣＣＦＬ（導光板）２０が設置されているので、広告画面３全体に均一な照度を維持し、製品厚さのスリム化を可能とし、広告画面３が広告表示窓１００に投射（照射）される。本発明の装置内には排気ファンを設けることができ、これにより内部の温度を外部に排出することができる。
【００３５】
本発明の装置は学習補助道具や教育補助道具または報告補助道具としても用いることができる。即ち、既存の幻灯機やＯ．Ｈ．Ｐの場合、レンズとスクリンが必要であり、高い光量の照明灯が必要であり、また、正確な焦点を調整しなければならない不便さがあるが、本発明の装置を利用する場合、かかる問題点が解消され、広告画面の代わりに学習内容や教育内容や報告内容に交替することができ、広告フィルムは半透明や不透明にすることができる。
【００３６】
【発明の効果】
以上説明したように、本発明はモータで回転する上端ローラにより、広告画面が印刷された広告フィルムが画面単位で移動するか、或いは動的に移動しながら広告効果が演出されるという効果があり、広告対象や広告方法及び広告物によって広告画面の移動速度と停止時間及び移動区間などを設定することができるという効果があり、紙管からなる上下端ローラによってフィルムの左右の傾きを防止し、上下端ローラを固定せずに上下端部ローラ固定溝に安置し、左右公差を形成してある程度自由に動け、フィルムの一方向への傾きを防止し、下端ローラの内部に装着された重錘によって広告フィルムのテンション（張力）を維持し、上端部ローラ回転時の滑りを防止し、また、ベースフィルム上にステッカー式画面フィルムを付着させた広告フィルムを用いて、　広告フィルムの交換や修理を容易にし、広告フィルムの分離と交替を簡便にすることができるという効果がある。
【図面の簡単な説明】
【図１】本発明の内部照明付きのスリム型スライド式広告装置の詳細図である。
【図２】本発明の内部照明付きのスリム型スライド式広告装置の内部詳細図である。
【図３】本発明の内部照明付きのスリム型スライド式広告装置の側面詳細図である。
【図４】本発明の内部照明付きのスリム型スライド式広告装置の側面詳細図である。
【符号の説明】
１　ケース
１−１　左右側支持台上端部
１−２　左右側支持台下端部
２、２’上下端ローラ
３　広告フィルム
４　駆動モータ
５　モータギア
６　上端ローラギア
７、７’上下端ローラキャップ及びシャフト
８　ボディプレートレール
９　分割ピン
１０　タイマ
１１　センサー
１２　コントローラボックス
１３　トランス
２０　ＣＣＦＬ（導光板）
２１　重錘
２２　インバータ
２３　コード
１００　広告表示窓
１０２　上端ローラ固定溝
１０３　下端ローラ固定溝
【図１】
2004062132.tif 000003
【図２】
2004062132.tif 000004
【図３】
2004062132.tif 000005
【図４】
2004062132.tif 000006